(57)【要約】【課題】隣接する流路間を熱的に遮断して、各流路を流れる空気の温度を適切な温度にでき、温風による毛髪の変形や毛髪の乾燥、冷風による毛髪の固定や過乾燥の防止を効率良く行うことができるヘアドライヤを提供する。【解決手段】異なる温度の空気が流れる複数の流路２、３を有する。各流路２、３に流れる空気を毛髪に向けて同時に吐出する送風手段を有する。隣接する流路２、３を仕切る境界壁４を断熱構造とする。【選択図】        図１
2005000547.tif 000002
【特許請求の範囲】
【請求項１】
異なる温度の空気が流れる複数の流路を有し、各流路に流れる空気を毛髪に向けて同時に吐出する送風手段を有し、隣接する流路を仕切る境界壁を断熱構造とすることを特徴とするヘアドライヤ。
【請求項２】
上記境界壁を、合成樹脂製の壁部材と、壁部材に積層した断熱部材とで構成してなることを特徴とする請求項１に記載のヘアドライヤ。
【請求項３】
上記壁部材と断熱部材との間に空間を形成したことを特徴とする請求項２に記載のヘアドライヤ。
【請求項４】
上記断熱部材をマイカシートとしたことを特徴とする請求項２又は３に記載のヘアドライヤ。
【請求項５】
上記断熱部材をガラス繊維布としたことを特徴とする請求項２又は３に記載のヘアドライヤ。
【発明の詳細な説明】
【０００１】
【発明の属する技術分野】
本発明は温風と冷風を毛髪に同時に吐出するヘアドライヤに関する。
【０００２】
【従来の技術】
従来のヘアドライヤは、毛髪に温風を当てることで、寝癖を伸ばしたり、毛髪をカールさせたりする癖付けや、毛髪の乾燥に利用されている。ところでヘアドライヤによって発生させた温風のみを毛髪に当てた場合、温風の熱によって水素結合を切断し毛髪を一時的に癖付けすることは可能ではあるが、このように癖付けした状態の毛髪を十分に固定するには、温風により熱した毛髪に冷風を当てて再び水素結合させることが必要である。また温風だけを毛髪に当てた場合には毛髪が過乾燥状態となり、毛髪がぱさついてまとまりのない状態となってしまい、光が当たった時に乱反射して艶があるように見えず、このような過乾燥を防止する意味でも毛髪に冷風を当てる必要がある。上記従来のヘアドライヤを用いて例えばスイッチを温風から冷風に切り換えて温風で熱した髪に冷風を当てることは可能ではあるが、温風を作るヒータの予熱等によって冷風が速やかに吹き出されず時間がかかってしまい、またスイッチによる温冷風の切換操作が面倒である。
【０００３】
上記問題を改善するため近年では温風と冷風とを同時に吐出するヘアドライヤが提供されている。この種のヘアドライヤとしては、境界壁によって仕切られた冷風流路及びヒータを内装した温風流路を有し、冷風用流路の吐出部から冷風を吐出すると共に、この冷風の吐出と同時に温風用流路の吐出部から温風を吐出するファンを設けたものがあり、温風と冷風とを同時に吐出するヘアドライヤを移動させたり、向きを変えたりして毛髪に温風及び冷風を交互に当てていた（例えば特許文献１）。
【０００４】
しかしながら上記特許文献１に示すヘアドライアは、冷風流路及び温風流路は境界壁によって仕切られているだけであって流路間が熱的に遮断されておらず、境界壁を介して冷風流路を流れる空気が温風流路を流れる空気の熱により暖められてしまったり、逆に温風流路を流れる空気が冷風流路を流れる空気により冷やされてしまったりして、上記した温風による毛髪の変形や毛髪の乾燥、冷風による毛髪の固定や過乾燥の防止を効率良く行うことができなかった。
【０００５】
【特許文献１】
実開昭５７−１６６８０８号公報
【０００６】
【発明が解決しようとする課題】
本発明は上記の点に鑑みてなされたものであり、その目的とするところは、隣接する流路間を熱的に遮断して、各流路を流れる空気の温度を適切な温度にでき、温風による毛髪の変形や毛髪の乾燥、冷風による毛髪の固定や過乾燥の防止を効率良く行うことができるヘアドライヤを提供することにある。
【０００７】
【課題を解決するための手段】
上記課題を解決するために本発明に係るヘアドライヤは、異なる温度の空気が流れる複数の流路２、３を有し、各流路２、３に流れる空気を毛髪に向けて同時に吐出する送風手段を有し、隣接する流路２、３を仕切る境界壁４を断熱構造とすることを特徴とするものである。
【０００８】
このように隣接する流路２、３を仕切る境界壁４を断熱構造とすることで、隣接する流路間を熱的に遮断することができ、これにより各流路２、３を流れる空気はこれと隣接する流路２、３を流れる空気からの熱的影響を受けず、各流路２、３を流れる空気の温度を適切な温度にでき、結果、温風による毛髪の変形や毛髪の乾燥、冷風による毛髪の固定や過乾燥の防止を効率良く行うことが可能となる。
【０００９】
また請求項２は請求項１において、上記境界壁４を、合成樹脂製の壁部材５と、壁部材５に積層した断熱部材６とで構成してなることを特徴とするものである。
【００１０】
このように境界壁４を、合成樹脂製の壁部材５と、壁部材５に積層した断熱部材６とで構成することで、加工がしやすく安価な合成樹脂からなる壁部材５に断熱部材６を積層するだけで断熱構造を備えた境界壁４を形成することができて、ヘアドライヤ１のコストを削減できる。
【００１１】
また請求項３は請求項２において、上記壁部材５と断熱部材６との間に空間２８を形成したことを特徴とするものである。
【００１２】
このように壁部材５と断熱部材６の間に空間２８を形成することで、境界壁４の断熱性を高めることができ、隣接する流路２、３間をより一層熱的に遮断することができる。
【００１３】
また請求項４は請求項２又は請求項３において、上記断熱部材６をマイカシートとしたことを特徴とするものである。
【００１４】
また請求項５は請求項２又は請求項３において、上記断熱部材６をガラス繊維布としたことを特徴とするものである。
【００１５】
【発明の実施の形態】
本発明のヘアドライヤはその内部に異なる温度の空気が流れる複数の流路を並設してあり、隣接する流路は境界壁によって仕切られている。複数の流路の上流側には、外部に開口する外気吸込口から外気を吸い込んで夫々の流路に送り、且つ各流路に流れる空気を各流路の吐出部から毛髪に向けて同時に吐出する送風手段を設けている。
【００１６】
以下本実施形態の一例を図１〜３に基づいて説明する。図示例のヘアドライヤ１は一方の流路２とこの一方の流路２に隣接する他方の流路３の２つの流路を有しており、一方の流路２は空気の流れる方向から見て他方の流路３に囲まれている。この内側に配された一方の流路２にはヒータ７を内装してあり、外側に配された他方の流路３にはヒータ７を設けず、これにより一方の流路２にはヒータ７により加温された温度の高い方の空気が流れ、他方の流路３にはヒータ７により加温されていない温度の低い方の空気が流れ、結果、両流路２、３に流れる空気の温度を異ならせている。なお本例では一方の流路２を温度の高い方の空気が流れる流路とし、他方の流路３を温度の低い方の空気が流れる流路としたが、逆に一方の流路２を温度の低い方の空気が流れる流路とし、他方の流路３を温度の高い方の空気が流れる流路としても良い。
【００１７】
図１及び図２は本例のヘアドライヤ１の具体的構成を示す断面図である。図に示すようにヘアドライヤ１は後端部に後方に開口する外気吸込口８を有すると共に前端部に前方に開口する開口部９を有する略円筒状のハウジング１０で装置本体の外殻を構成してあり、ハウジング１０の後部にはハンドル部１１を下方に一体に突設している。なお、図中１２は電源供給用コードである。
【００１８】
ハウジング１０の内部の後部には上流側の開口が外気吸込口８に連通し且つ軸方向において内径及び外径が略同じである円筒状の整流筒１３を設けている。整流筒１３には送風手段としてプロペラファンのような軸流型のファン１４を内装している。このファン１４はハウジング１０の内部に設けたモータ１５により回転駆動するものであって、同心円上に均一に風を流しやすい特徴を有している。
【００１９】
ハウジング１０の内部の前部、即ち整流筒１３の下流側には、上流側端部の内径が整流筒１３の外径よりも大きい円筒状の風洞部１６を設けてあり、本例の風洞部１６はハンドル部１１よりも前側に位置するハウジング１０の内周面部により形成してある。
【００２０】
風洞部１６の内部には上流側の開口が整流筒１３の下流側の開口に連通するヒータ７を内装した円筒状の内筒１７を設けてあり、内筒１７と前述した風洞部１６とで二重円筒構造を形成している。内筒１７の中心線は風洞部１６の中心線上且つ整流筒１３の中心線の延長線上に位置し、内筒１７の上流側端部の外径は整流筒１３の内径と略同じである。内筒１７の上流側の端と整流筒１３の下流側の端とは軸方向に離してあり、整流筒１３の下流側端部及び内筒１７の上流側端部の間に、整流筒１３の内部及び内筒１７と風洞部１６の間の空間部１９を連通させる隙間Ｓを形成している。この隙間Ｓは軸方向の大きさが調整されてあり、これにより空間部１９に流れる空気の量と、内筒１７の内部に流れる空気の量の比率が調整されている。またこの隙間Ｓを形成したことに伴って、図２に示すように整流筒１３の下流側端部の外側に位置するハウジング１０の内周面部には整流筒１３とその外側のハウジング１０との間の空間部２０を閉塞する閉塞部材２１を設けてあり、前記隙間Ｓから流れてくる空気が空間部２０に流れ込むことを防止して効率良く空気を流せるようにしている。
【００２１】
風洞部１６の下流側端部には合成樹脂製の二重円筒構造を有するノズル部材２２を設けている。ノズル部材２２は、外側ノズル２３と、該外側ノズル２３の内部に位置する外側ノズル２３と一体に設けた内側ノズル２４とからなり、内側ノズル２４及び外側ノズル２３の中心線は内筒１７の中心線の延長線上に位置する。外側ノズル２３の上流側の開口は風洞部１６の下流側の開口（開口部９）に連通接続してあり、内側ノズル２４の上流側の開口と内筒１７の下流側の開口とはヒータ７の熱や内筒１７を流れる温度の高い方の空気によって内側ノズル２４の変形や溶けが発生することを防止するために軸方向にやや離している。上記内側ノズル２４の内部は内筒１７の内部と連通し、外側ノズル２３と内側ノズル２４との間の空間部２５は空間部１９に連通している。
【００２２】
そして本例では上記ヘアドライヤ１の内筒１７の内部及び内筒１７の下流側に設けた内側ノズル２４の内部とで上記一方の流路２を構成すると共に、空間部１９及び空間部２５で上記他方の流路３を構成して、内筒１７を一方の流路２と他方の流路３を仕切る境界壁４とし、さらには内側ノズル２４を一方の流路２を流れる空気の吐出部とすると共に、外側ノズル２３を他方の流路３を流れる空気の吐出部としている。
【００２３】
上記境界壁４としての内筒１７について詳述すると、図１に示すように内筒１７は、隣接する流路２、３のうち、他方の流路３側（即ち温度の低い方の空気が流れる流路側）に配設した耐熱性を有する合成樹脂からなる壁部材５と、一方の流路２側（即ち温度の低い方の空気が流れる流路側）に配設した断熱性及び耐熱性を有する断熱部材６とで構成される。断熱部材６は壁部材５の表面に積層してあり、本例の熱伝導度の低い断熱部材６としてはマイカシートを用いている。なお断熱部材６としてはガラス繊維布を用いても良く、また断熱部材６としてはその他の従来から公知の種々の断熱部材を用いても良いものとする。
【００２４】
境界壁４（内筒１７）の壁部材５は円筒状の本体部２６で主体を構成してあり、本体部２６の内周面には本体部２６の中心に向かって突出する突部２７を周方向に複数設けている。各突部２７は周方向において等間隔で配され、これら複数の突部２７の先端面には壁部材５と同心の円筒状の断熱部材６を積層している。
これにより断熱部材６と壁部材５の本体部２６とを径方向に離し、壁部材５と断熱部材６の間に断熱用の空間２８を複数形成している。なお本例では断熱部材６と壁部材５との間に断熱用の空間２８を形成した例を示したが、該空間２８を形成せずに、壁部材５の本体部２６の内周面に直接断熱部材６を積層しても良いものとする。
【００２５】
このように境界壁４を合成樹脂製の壁部材５と該壁部材５に積層した断熱部材６とで構成したことで、加工がしやすく安価な合成樹脂からなる壁部材５に断熱部材６を積層するだけで断熱構造を備えた境界壁４を形成することができて、ヘアドライヤ１のコストを削減でき、しかも本例では壁部材５よりも耐熱性の優れた断熱部材６を温度の高い方の空気が流れる一方の流路２側に配してあるので、高温の空気、ヒータ７の熱等による壁部材５の変形や溶けを防止できる。
【００２６】
次に上記送風手段により各流路２、３の吐出部から温度の高い方の空気と温度の低い方の空気を同時に吐出する場合について説明する。この場合使用者は、図１に示すハンドル部１１に設けた電源スイッチ２９や、モード切換スイッチ３０等の各種操作スイッチからなる操作部を使用者が操作する。操作部を操作することで図示しない制御部はヒータ７をＯＮにすると共にモータ１５をＯＮにする。モータ１５の駆動によりファン１４が回転すると、外気吸込口８から整流筒１３内にハウジング１０外部の外気を吸い込み、整流筒１３内に吸い込んだ空気を一方の流路２と他方の流路３の夫々に送り、一方の流路２ではヒータ７により加熱された空気を一方の流路２の吐出部から吐出し、同時に他方の流路３ではヒータ７による加熱を行わずにそのまま他方の流路３の吐出部から吐出する。
【００２７】
しかして一方の流路２の吐出部から吐出される空気である温風と、他方の流路３の吐出部から吐出される空気である前記温風と同時に吐出される冷風とを、毛髪に当てることで、まず毛髪の所望の部位に温風を当てて毛髪の変形や乾燥を行い、この後ヘアドライヤ１を移動させて（又は向きを変えて）、前記毛髪の温風が当たった部分に冷風を当てて毛髪の固定や、過乾燥の防止を行い、以下ヘアドラヤ１を移動させて上記動作を繰り返す。
【００２８】
ここで上記のように温度の異なる空気が流れる一方の流路２と他方の流路３を仕切る境界壁４を断熱構造としているので、両流路２、３間を熱的に遮断することができ、従来例のように境界壁４を介して他方の流路３を流れる温度の低い方の空気が一方の流路２を流れる温度の高い方の空気の熱により暖められてしまったり、
一方の流路２を流れる温度の高い方の空気が他方の流路３を流れる温度の低い方の空気の熱により冷やされてしまったりすることを抑制でき、従って適切な温度の冷風及び温風を毛髪に当てることが可能となり、温風による毛髪の変形や毛髪の乾燥、冷風による毛髪の固定や過乾燥の防止を効率良く行うことができる。また壁部材５と断熱部材６の間に断熱用の空間２８を形成したこと、境界壁４を壁部材５と該壁部材５に積層した断熱部材６とで構成して二重構造としたこと、さらには耐熱性の高い壁部材５を用いたこと等、によってより一層両流路間２、３を熱的に遮断できる。
【００２９】
また本例のヘアドライヤ１は図２に示すように上記各流路２、３の吐出部から吐出される空気の吐出方向と同一方向にマイナスイオンを放出するイオン放出部３１を備えている。イオン放出部３１は、イオン用流路３３と、イオン用流路３３の途中に設けたマイナスイオンを発生するイオン発生部３４とからなる。イオン用流路３３の上流側端部は他方の流路３の途中に連通接続してあり、イオン用流路３３の下流側端部には各流路２、３の吐出部から吐出される空気の吐出方向と略同一方向に開口するイオン放出口３２を設けている。イオン放出口３２は各流路２、３の吐出部近傍に配設してあり、詳しくは空気の流れ方向から見て他方の流路３の吐出部の近傍且つ外側に位置している。また内筒１７には上記イオン発生部３４に高電圧を印加する高電圧発生部３５を内装している。
【００３０】
そして操作部を操作することで、イオン放出部３１は、上記冷風及び温風を同時に吐出している時に、マイナスイオン発生部３４にてマイナスイオンを発生すると共に、該マイナスイオンをイオン用流路３３を流れる温度の低い方の空気の流れに乗せてイオン放出口３２より毛髪に向かって放出する。イオン放出部７から放出されたマイナスイオンを毛髪に当てることで、毛髪の艶を出すことができ、しかもこのマイナスイオンは過乾燥状態となった毛髪に当てられるのではなく、冷風の効果によりぱさつきのなくなった毛髪に当てられるため、マイナスイオンによる艶出し効果がより一層向上する。ここでは特にマイナスイオンを温度の低い方の空気の流れに乗せて放出することで、マイナスイオンが温度の高い方の空気により加熱され難くて蒸散せず、艶出し効果をさらに向上させている。なおイオン放出部３１としてはこれに限定されるものではなく、例えば上記イオン用流路３３の上流側端部を他方の流路３に連通させず、イオン発生部３４で発生したマイナスイオンを他方の流路３から吹き出される冷風により誘引しても良いし、また一方の流路２又は他方の流路３内にイオン発生部を設け、一方の流路２又は他方の流路３を流れる空気によりマイナスイオンを一方の流路２の吐出部又は他方の流路３の吐出部より吐出するようにしても良い。
【００３１】
なお上記の実施例では各流路にヒータ７を設けるか否かにより、複数の流路２、３に流れる空気の温度を夫々異ならせたが、各流路２、３の夫々にヒータを設け、夫々のヒータ７のＯＮ／ＯＦＦの切り換えや、ヒータ７の出力変化により、複数の流路２、３に流れる空気の温度を夫々異ならせても良い。また上記のヘアドライヤ１は前述した冷風と温風を同時に吐出するモードを有していれば良いものとするが、これに加えて、前述した冷風及び温風に加えてマイナスイオンを放出するモードや、ヒータ７のＯＮ／ＯＦＦ、モータ１５のＯＮ／ＯＦＦ、イオン発生部３４のＯＮ／ＯＦＦを予め設定された値に自動的に切り換えるその他のモードを有していても良い。
【００３２】
【発明の効果】
以上説明したように本発明のヘアドライヤは隣接する流路間を熱的に遮断して、各流路を流れる空気の温度を適切な温度にでき、温風による毛髪の変形や毛髪の乾燥、冷風による毛髪の固定や過乾燥の防止を効率良く行うことができる。
【図面の簡単な説明】
【図１】本発明の実施の形態の一例を示すヘアドライヤの側断面図である。
【図２】同上の平面断面図である。
【図３】図１のＡ―Ａ線断面図である。
【符号の説明】
１  ヘアドライヤ
２  一方の流路
３  他方の流路
４  境界壁
５  壁部材
６  断熱部材
【図１】
2005000547.tif 000003
【図２】
2005000547.tif 000004
【図３】
2005000547.tif 000005